(57)【要約】【課題】インテリジェントモバイル端末用の新規の制御装置を提供する。【解決手段】利用者の運動操作に従って制御コマンドを生成する無線制御モジュールを組み込んだ腕時計を開示する。インテリジェントモバイル装置の機能を制御するために、特定のインテリジェントモバイル装置に制御コマンドを無線で与える。運動操作は、変位／スイング操作、回転操作、及びノッキング操作のうちの１つ若しくは複数、又はそれらの組み合わせを含む。【選択図】図４
2017138307.tif 000002
【特許請求の範囲】
【請求項１】
物理的な時間目盛を備える文字盤と、前記文字盤上の少なくとも１本の腕時計の針と、前記腕時計の針を駆動する作動機構と、前記作動機構を含むハウジングと、前記ハウジングにつながれる時計バンドと、外部装置を制御するために前記ハウジング又は前記時計バンド内に配置される無線制御機能モジュールとを備える腕時計であって、
前記無線制御機能モジュールは、
前記腕時計の移動を検出して該移動に応じて検出信号を生成する検出器ユニットと、
前記検出器ユニットに結合されて、該検出器ユニットの前記検出信号を受信して記憶装置内に記憶される複数の運動パターンのうちの１つの運動パターンに前記検出信号を照合するプロセッサユニットであって、該照合される運動パターンは前記移動に対応する、プロセッサユニットと、
外部装置によるデータをやり取りするための要求時に、前記外部装置との間で無線信号を送受信して無線通信チャネルを確立する無線通信ユニットと、
前記プロセッサユニット及び前記無線通信ユニットに結合されて、前記プロセッサユニットによって照合される運動パターンに従って所定の形式で運動パターン信号を生成し、該運動パターン信号を前記外部装置に送信するために前記無線通信ユニットに供給するコマンド生成ユニットと
を備え、
前記運動パターン信号は、平行移動パターン信号、回転パターン信号、及びノッキングパターン信号によって構成されるグループから選択される少なくとも１つを含む、腕時計。
【請求項２】
前記外部装置はモバイルインテリジェント端末である、請求項１に記載の腕時計。
【請求項３】
前記運動パターンはスイング運動を更に含む、請求項１に記載の腕時計。
【請求項４】
前記回転運動パターンは回転運動又は公転運動を含む、請求項１に記載の腕時計。
【請求項５】
前記外部装置に送信される前記運動パターン信号は、写真を撮影するか又は録画を開始するために、前記インテリジェントモバイル端末のカメラモジュールを作動させる、請求項２に記載の腕時計。
【請求項６】
前記外部装置に送信される前記運動パターン信号は、特定の電話番号に発呼するか又はショートメッセージを送信するために、前記インテリジェントモバイル端末の携帯電話モジュールを作動させる、請求項２に記載の腕時計。
【請求項７】
前記外部装置に送信される前記運動パターン信号は、ウェブアドレスに接続するために、前記インテリジェントモバイル端末のネットワーク通信モジュールを作動させる、請求項２に記載の腕時計。
【請求項８】
前記外部装置に送信される前記運動パターン信号は、音声メッセージ（その音量、韻律、又は周波数を定めるパラメータを含む）を生成するために、前記インテリジェントモバイル端末の音声モジュールを作動させる、請求項２に記載の腕時計。
【請求項９】
前記外部装置に送信される前記運動パターン信号は、特定のメッセージを表示するために、前記インテリジェントモバイル端末の表示モジュールを作動させる、請求項２に記載の腕時計。
【請求項１０】
腕時計を使用して外部装置を操作する方法であって、該腕時計は、タッチスクリーン、ボタン、又は機能キーを一切備えておらず、当該方法は、
前記腕時計の移動を検出して該移動に応じて検出信号を生成するために、前記腕時計内に検出器ユニットを設けるステップと、
前記検出器ユニットの前記検出信号を受信して記憶装置内に記憶される複数の運動パターンのうちの１つの運動パターンに前記検出信号を照合するために、前記検出器ユニットに結合されるプロセッサユニットを設けるステップであって、前記照合される運動パターンは前記移動に対応する、ステップと、
前記プロセッサユニットによって照合された前記運動パターンに従って所定の形式で運動パターン信号を生成するために、前記プロセッサユニットに結合されるコマンド生成ユニットを設けるステップと、
前記外部装置に前記運動パターン信号を供給するために、前記コマンド生成ユニットに結合される無線通信ユニットを設けるステップであって、前記外部装置は前記運動パターン信号に対応するコマンドに応答して動作又は機能する、ステップと
を含み、
前記運動パターン信号は、平行移動パターン信号、回転パターン信号、及びノッキングパターン信号によって構成されるグループから選択される少なくとも１つを含む、腕時計を使用して外部装置を操作する方法。
【請求項１１】
前記外部装置はモバイルインテリジェント端末である、請求項１０に記載の方法。
【請求項１２】
前記運動パターンはスイング運動を更に含む、請求項１０に記載の方法。
【請求項１３】
前記回転運動パターンは回転運動又は公転運動を含む、請求項１０に記載の方法。
【発明の詳細な説明】
【技術分野】
【０００１】
本発明は、モバイル端末に関連して使用するための機器、及びその機器を使用してモバイル端末を制御するための方法、とりわけモバイル端末の機能を無線で操作するために使用する腕時計又はウェアラブルデバイスに関する。
【背景技術】
【０００２】
全てのインテリジェントモバイル端末は共通の特徴を有しており、その特徴とは、モバイル端末のディスプレイ及び入力インタフェースが１つのタッチスクリーンに統合されていることである。インテリジェントモバイル端末を操作する際、概して利用者はインテリジェントモバイル端末の本体を片手で持ち、もう一方の手で装置を操作しなければならない。片手による操作も可能であるが不便である。ハンドフリー操作の能力を与えるために、幾つかの音声制御モジュールが開発されており、利用者の音声操作コマンドをインテリジェントモバイル端末によって実行可能なコマンドに変換するために、音声認識技法が使用される。しかしながら、音声認識技法が未熟であることにより、ほとんどの利用者の需要を満たすには既存の技術では依然として不十分である。加えて、操作コマンドの音声入力は付近の人に迷惑な場合があり、そのため、インテリジェントモバイル端末を遠くから操作するのに適していない。音声入力は、モバイル端末を操作するのに適切な選択肢ではない。
【０００３】
インテリジェントモバイル端末を遠くから操作するために、インテリジェントモバイル端末を操作するウェアラブルデバイスが近年開発されている。ウェアラブルデバイスは主に腕時計の形態であり、インテリジェントモバイル端末上の入力要素に対応するタッチスクリーン、キーボード、ボタン等の入力要素を備えている。そのような手法は、インテリジェントモバイル端末の入力要素を、腕時計等のウェアラブルデバイスに実質的に移動又は複製し、利用者がモバイル端末を操作する際に手で持つ必要がないようにする。利用者は、単純にタッチスクリーンに触り、腕時計のタッチスクリーン内に提供される入力キー、ボタンを押すことによって、モバイル端末を操作する。そのような装置はインテリジェントモバイル端末の操作を単純化するが、利用者は依然としてウェアラブルデバイスの入力要素上で操作コマンドを入力しなければならない。ウェアラブルデバイスのタッチスクリーンは小型であり、快適かつ便利に操作するには常に小さ過ぎる。加えて、従来の腕時計は、インテリジェントモバイル端末を制御するコマンドの入力を補助するように動作可能なタッチスクリーン、入力キー、又はボタンを備えていないため、そのような入力要素、必要な機能モジュール、及びアンテナを従来の腕時計に実装することができない。
【発明の概要】
【発明が解決しようとする課題】
【０００４】
本発明の１つの目的は、インテリジェントモバイル端末用の新規の制御装置を提供することである。本発明の無線制御装置は、モジュール形式で作成することができる。それにより、このモジュールを腕時計に組み込み、腕時計を着用する利用者が自分の腕の位置又は向きを単純に変えることによって、インテリジェントモバイル端末を操作可能にすることができる。腕の位置の変化は、制御モジュール内に設けられる運動検出器によって検出され、インテリジェントモバイル端末の操作コマンドに変換される。操作コマンドは、インテリジェントモバイル端末の動作を制御するために、インテリジェントモバイル端末に送信される。その結果、タッチスクリーン、タッチキー、又はタッチボタンを指で触ってインテリジェントモバイル端末を操作する必要はもはやない。
【課題を解決するための手段】
【０００５】
上記の目的を達成するために、本発明は一態様で、腕時計の針と時間目盛との関連によって時間情報を与えるために、物理的な時間目盛を備える文字盤と、文字盤上の少なくとも１本の腕時計の針と、腕時計の針を駆動する作動機構とを有する腕時計を提供する。この腕時計は、作動機構を含むハウジングと、ハウジングにつながれる時計バンドと、外部装置を制御するためにハウジング又は時計バンド内に配置される無線制御機能モジュールとを更に備えている。無線制御モジュールは、
腕時計が利用者によって操作されるときに腕時計の移動を検出する少なくとも１つの運動検出器を含み、当該移動に応じて検出信号を生成する検出器ユニットと、
検出器ユニットに結合されて、当該検出器ユニットの検出信号を受信して記憶装置内に記憶されている運動パターンのうちの１つの運動パターンに検出信号を照合するプロセッサユニットであって、当該照合される運動パターンは移動に対応する、プロセッサユニットと、
外部装置によるデータをやり取りするための要求時に、外部装置との間で無線信号を送受信して無線通信チャネルを確立する無線通信ユニットと、
プロセッサユニットに結合されて、当該プロセッサユニットによって照合される運動パターンに従って所定の形式で運動パターン信号を生成し、当該運動パターン信号を外部装置に送信するために無線通信ユニットに供給するコマンド生成ユニットと
を備えている。
【０００６】
本発明の好ましい実施形態では、複数の運動パターン信号は、平行移動パターン信号、回転パターン信号、及びノッキングパターン信号によって構成されるグループから選択される少なくとも１つを含む。
【０００７】
本発明の特定の実施形態では、コマンド生成ユニットは、所定の期間内に生成される複数の運動パターン信号を記録し、外部装置によって実行可能なコマンド一覧から記録される運動パターン信号に対応するコマンドを選択し、その後、選択したコマンドを外部装置に送信するために無線通信ユニットに供給する。複数の運動パターン信号は、平行移動パターン信号、回転パターン信号、及びノッキングパターン信号によって構成されるグループから選択される少なくとも１つを含む。
【０００８】
本発明の無線制御モジュールは、振動装置を更に備えることができる。振動装置は、
振動コマンドの受信時に振動を発生させる振動器と、
振動器の振動を増幅するために振動器によって取り付けられる振動板と、
無線通信ユニットに結合されて、当該無線通信ユニットを介して所定のコマンドを受信時に、振動コマンドを生成して当該振動コマンドを振動器に供給するコントローラと
を備えている。振動コマンドは、振動イベントの頻度及び持続時間を指定する命令を含む。
【０００９】
本発明の一実施形態では、外部装置はインテリジェントモバイル端末であり、無線制御モジュールは運動検出器及び無線通信ユニットのみを含む。その一方で、プロセッサユニット及びコマンド生成ユニットの機能を実行する際に、インテリジェントモバイル端末内で提供される計算能力、データ記憶能力、及び操作能力を利用するように、プロセッサユニット及びコマンド生成ユニットがソフトウェア形式で外部装置に組み込まれる。
【００１０】
本発明によれば、利用者は、腕時計内に設けられる無線制御モジュールと共同して動作するアプリケーションシステムをインストールすることを許される。アプリケーションシステムは、インテリジェントモバイル端末を操作して、無線制御モジュールの運動パターン信号又はコマンドを受信し、アプリケーションシステム内で確立される推論規則に従って、受信した信号／コマンドをインテリジェントモバイル端末の操作コマンドに変換し、操作コマンドをインテリジェントモバイル端末の関係する機能モジュールに供給する。それにより、インテリジェントモバイル端末は、利用者による無線制御モジュール、すなわち腕時計の操作に従って動作する。このようにして、インテリジェントモバイル端末を持つか又は指で操作することを必要とせずに、インテリジェントモバイル端末を操作することが達成される。
【００１１】
本発明の上記の及び他の目的及び利点が、図面に関する以下の詳細な説明からより明確に理解されるであろう。
【図面の簡単な説明】
【００１２】
【図１】本発明の一実施形態による腕時計の概略図を示す。
【図２】図１の腕時計の部品展開図を示す。
【図３】図１の腕時計の断面図を示す。
【図４】本発明の無線制御モジュール、及び無線制御モジュールと共同して動作するインテリジェントモバイル端末を示す概略図である。
【図５】本発明で使用される振動装置のブロック図を示す。
【発明を実施するための形態】
【００１３】
本発明は、無線制御モジュールを組み込んだ腕時計に関する。本発明の無線制御モジュールは、腕時計の移動を検出し、その移動に対応する複数の運動パターン信号を生成する。インテリジェントモバイル端末を操作するための特定の制御コマンドを表現するために、運動パターン信号の様々な組み合わせを使用する。従って、インテリジェントモバイル端末を指で操作することが不要になる。
【００１４】
以下の説明では、従来のクオーツ時計を例として使用することによって、本発明の実施形態を説明する。ただし、無線制御モジュールは、機械時計、電子時計、及びインテリジェント時計、又は他のウェアラブルデバイス等、他の任意の種類の従来の腕時計に関連して使用できることを当業者であれば理解されよう。
【００１５】
図１、図２、及び図３を参照されたい。図１は、無線制御モジュールを組み込んだ本発明の腕時計の一実施形態を示している。また、図２及び図３は、その部品展開図及び断面図をそれぞれ示している。図示のように、腕時計は、外面１１、文字盤１２、作動機構１３、機能モジュール１４、ケーシング１５、竜頭１６、電池１７、及びボトムケース１８を有している。外面１１はガラス等の透明材で作られている。文字盤１２上には物理的な時間目盛が設けられ、１時〜１２時の目盛を示している。物理的な短針、長針、秒針等の指示器が、文字盤１２上に配置されている。指示器が作動機構１３によって駆動され、文字盤１２上の時間目盛と共同して時間を表示する。利用者は透明な外面１１を通して見ることにより、指示器によって表示される位置情報、すなわち時間情報を知覚することができる。ケーシング１５とボトムケース１８は、時計の機械構造及び／又は電子装置を収容して保護する。作動機構１３、機能モジュール１４、及び電池１７は、ケーシング１５、ボトムケース１８、及び文字盤１２（又は外面１１）によって画定される空間内に収容される。腕時計の側面には、竜頭１６も設けられている。竜頭１６は、利用者がそのノブを回すことによって表示時間を調節するか、又はアラーム時刻を設定するためのものである。電池１７は、作動機構１３及び／又は機能モジュール１４に所要の電力を供給する。機能モジュール１４は、外部装置、すなわちインテリジェントモバイル端末４６（図４参照）と共同して無線で動作し、それにより、機能モジュールがモバイル端末と無線通信を行うこと、及び従来の腕時計をインテリジェント時計にすることを可能にする。一部の実施形態では、機能モジュール１４は、時計バンド上又はその中に設けることができる。
【００１６】
図１〜図３から、外面１１、文字盤１２、作動機構１３、ケーシング１５、竜頭１６、電池１７、及びボトムケース１８として様々な設計を使用することができ、それらが従来の腕時計、とりわけクオーツ時計の機能を提供することが理解されよう。本発明の１つの重要な特徴は、腕時計が機能モジュール１４、すなわち本発明の無線制御モジュールを更に含むことである。すなわち、機能モジュール１４を収容するために、その構成要素によって占有されていない従来のクオーツ時計の内部空間、又は特定の内部構成要素を除去することによって作られる従来のクオーツ時計の内部空間を使用することができ、機能モジュール１４は、モバイル端末の動作を制御するために、無線でモバイル端末４６と共同して動作する。その結果、インテリジェント時計の機能を提供するように、従来の腕時計を容易に改造することができる。さらに、本発明の機能モジュール１４は、機械時計又は電子時計等の任意の種類の従来の腕時計に組み込んで、インテリジェント機能を提供することができる。従来の腕時計の内部構造は、クオーツ時計の内部構造と同様であるため、詳細な説明は省略する。
【００１７】
本発明の一実施形態では、電池１７が作動機構１３及び機能モジュール１４に電力を供給する。すなわち、作動機構１３及び機能モジュール１４（及び時計内の他の電子装置）を駆動する電力が電池１７によって供給される。ただし、他の実施形態では、作動機構１３及び機能モジュール１４が自身の電池及び電源供給部を独立に有しており、例えば２個の電池がそれぞれ機能モジュール１４及び作動機構１３に電力を供給する。
【００１８】
図２に示されるように、機能モジュール１４は、回路基板１４１、及び回路基板１４１上に設けられるパッケージ本体１４２を含んでいる。図４は、本発明による機能モジュール１４、及び機能モジュール１４と通信する外部装置、すなわちモバイル端末４６の一実施形態の概略図を示している。図４に示されるモバイル端末４６は、インテリジェントモバイル端末である。次に、図４を図１〜図３と共に参照する。図示のように、パッケージ本体１４２の内部において、本発明の機能モジュール１４は、プロセッサユニット４１、検出器４２、コマンド生成ユニット４３、及び無線通信ユニット４４を備えている。プロセッサユニット４１、検出器４２、コマンド生成ユニット４３、及び無線通信ユニット４４は、回路基板１４１内に設けられ、ＳｉＰ（システムインパッケージ）構造等、単一の（モノリシック）パッケージ内にカプセル化することができる。当然ながら、それらを個別に、又はそれらのうちの何れか２つと一体にパッケージ化し、回路基板内に設けられる配線によって接続し、それらの間の信号及び電力の伝送を容易にすることもできる。回路基板１４１は、電気信号を伝送するために金属層を様々な誘電体層の間に配置した複数の金属層及び複数の誘電体層を有する、硬質又可撓性の積層基板とすることができる。誘電体層は、例えばスピンコーティング技術を使用して、ポリイミド材料によって作成することができる。また、機能モジュール１４は、プロセッサユニット４１が処理するためのデータを記憶するメモリユニット４５を含むこともできる。メモリユニット４５は、プロセッサユニット４１に統合されてもよい。モバイル端末４６は、無線信号を送受信する無線信号トランシーバ４７を有している。無線信号トランシーバ４７は、例えばＢｌｕｅｔｏｏｔｈ（ブルートゥース）（登録商標）トランシーバ又はＮＦＣ（近距離無線通信）トランシーバとすることができる。
【００１９】
図４に示す実施形態では、無線制御機能モジュール１４の主な機能は、インテリジェントモバイル端末４６の動作を制御するために、利用者の運動操作に応答して制御コマンドを生成し、その制御コマンドを特定のインテリジェントモバイル端末４６に提供することである。この実施形態の検出器４２は、利用者の操作下にある無線制御機能モジュール１４の運動／移動を検出し、検出された運動又は移動を記述する検出信号を生成する運動検出器である。検出信号は、運動成分、すなわち運動又は移動の少なくとも２つの方向における加速度値を含む。本発明によれば、無線制御機能モジュール１４は、利用者による機能モジュールに対する運動操作のパターンに従って、複数の運動パターンを表現する検出信号を与えるように構成される。例えば、利用者が機能モジュール１４を軸に沿って回転又は公転させる場合、その回転又は公転が運動検出器４２によって検出され、それにより１回の回転操作又は公転操作を表現する「回転パターン」検出信号が生成される。利用者が機能モジュール１４を或る方向に沿って直線的に動かす場合、その運動が運動検出器４２によって検出され、それにより１回の平行移動を表現する「平行移動パターン」検出信号が生成される。利用者が機能モジュール１４を振る場合、相対する方向への機能モジュール１４の運動が運動検出器４２によって検出され、「スイングパターン」検出信号が生成される。機能モジュール１４を含むケーシング又は機能モジュール１４に関連する装置のケーシングを利用者がノックする場合、ケーシングの振動が運動検出器４２によって検出され、それにより「ノッキングパターン」検出信号が生成される。運動／移動の他の任意のパターン、又は運動／移動の他の任意の組み合わせを、それを一連の運動検出信号によって表現又は記述することができる限り、すなわち、機能モジュール１４の運動又は一連の運動を表現する２以上の方向の加速度値を記述する、一連の信号によって表現又は記述することができる限り、本発明のパターンとして使用することができる。
【００２０】
上記の機能を支援する検出器４２は、市販の任意の２軸、３軸、又は複数軸の加速度計とすることができる。本発明の要求を満たす運動検出器を形成するために、２つ以上の単一軸の加速度計を使用することもできる。本特許開示では、「２つの方向」という用語は、概して空間座標系内の２本の軸を指す。運動を定める２つの方向における「運動成分」又は加速度値は、角速度によって置き換えることもできる。回転パターン、平行移動パターン、スイングパターン、ノッキングパターン等の無線制御機能モジュール１４における複数の運動パターンを表現するのにその検出信号が十分である限り、任意の運動検出器又は移動検出器を、本発明の運動検出器４２として使用することができる。
【００２１】
通常、上記の要件を満たす検出器は、少なくとも加速度計、ジャイロスコープ、又は磁気計、及び所要の演算回路のセットを含む。無線制御機能モジュール１４が利用者によって操作される場合、機能モジュール１４の運動／移動が加速度計によって検出され、加速度計の検出信号が演算回路に与えられる。動作回路は、検出信号を使用して、機能モジュール１４の運動／移動を表現する２つ以上の方向における角速度又は加速度値を検出信号を使用して計算し、結果を出力する。従来技術では、運動又は移動のパターンを検出するのに有用であると共に、ビデオゲームのリモコン、インテリジェントモバイル端末、自動車向け安全装置等の用途に使用される、多岐にわたる加速度計の応用回路がある。当業者にとって、それらの応用回路は既知の技術である。それに加えて、運動検出信号を簡単に生成するために、加速度計、及び／又はジャイロスコープ、及び／又は磁気計のセットを使用することもできる。続いて、インテリジェントモバイル端末４６の演算及び記憶能力を使用して検出信号を解釈するために、検出信号が無線通信ユニット４４を介して特定のインテリジェントモバイル端末４６に提供される。
【００２２】
加速度計及びジャイロスコープ等の上記の検出器要素、並びに検出器要素に適用できる演算回路は既知であり、市販の電子部品である。一般的に、本発明では、ＭＥＭＳ技術を使用して製造される任意の微動測定モジュールを使用することができる。
【００２３】
本発明の無線通信ユニット４４は、検出器４２によって生成される運動検出信号、又は検出信号に基づいて生成されるコマンドを、外部装置に送信する。無線通信ユニット４４は、外部装置によって与えられる要求信号によって、外部装置とデータをやり取りするように構成されることができる。市販の任意の無線通信構成要素、とりわけ短距離無線通信構成要素が無線通信ユニット４４の機能を果たすことができる。無線通信ユニット４４は、特定のインテリジェントモバイル端末４６を接続するために、Ｂｌｕｅｔｏｏｔｈ（登録商標）プロトコル等の標準通信チャネルを使用する。無線制御機能モジュール１４は、外部装置からの要求時にその外部装置との間で無線信号を送受信して、その外部装置との間で情報をやり取りするために、無線トランシーバを備えることができる。
【００２４】
本発明の好ましい実施形態では、複数の有用な運動パターンは、少なくとも平行移動パターン、回転パターン、及びノッキングパターンを含む。
【００２５】
上記の構造及び機能を有する無線制御機能モジュール１４は、利用者の運動操作を検出し、運動操作、パターンの順序及び回数に対応する運動パターンを識別し、一連の運動パターン信号を生成する。例えば、
１．利用者が腕に着用する腕時計に無線制御機能モジュール１４が組み込まれる。利用者が腕を１回まわすと、無線制御機能モジュール１４が「回転パターン」信号を出力する。
２．利用者が腕に着用する腕時計に無線制御機能モジュール１４が組み込まれる。利用者が腕時計の外面を３回ノックすると、無線制御機能モジュール１４が３つの「ノッキングパターン」信号又は「３回ノック」信号を出力する。
３．利用者が腕に着用する腕時計に無線制御機能モジュール１４が組み込まれる。利用者が腕を１回まわした後に手を２回振ると、無線制御機能モジュール１４が１つの「回転パターン」信号と２つの「平行移動パターン」信号を順に出力する。
【００２６】
インテリジェントモバイル端末４６の将来的な操作及び制御のために、インテリジェントモバイル端末４６の操作面の需要に応じて、運動パターンの他の組み合わせを考案し、無線制御機能モジュールアプリケーションシステム内にセットアップすることができる。
【００２７】
加えて、本発明の無線制御機能モジュール１４は、外部装置からの制御命令を無線制御機能モジュール１４によって受信すると振動する振動器７０を、任意選択的に更に設けることができる。この任意選択的な機能は、無線制御機能モジュール１４がインテリジェントモバイル端末４６の遠隔出力装置として機能することを可能にする。従って、無線制御機能モジュール１４は、インテリジェントモバイル端末４６にとっての遠隔入力装置だけではない。図５は、振動器７０のブロック図を示している。図示のように、振動器７０は基本的に、振動駆動信号の受信時に振動する振動装置７１と、振動装置７１の振動を増幅するために振動装置７１によって取り付けられる振動板７２と、無線通信ユニット４４から命令信号を受信して、受信された命令信号に従って振動装置７１への特定の振動駆動信号を生成するために無線通信ユニット４４に接続される、コントローラ７３とを含んでいる。本発明の好ましい実施形態では、振動駆動信号は、振動イベントの振動の頻度及び持続時間に関する記述を含む。
【００２８】
本発明の無線制御モジュール１４は、利用者の運動操作を検出し、利用者の運動操作に従ってインテリジェントモバイル端末４６を操作するために使用される。本発明の好ましい実施形態では、インテリジェントモバイル端末４６は、携帯電話、スマートフォン、携帯情報端末、タブレット、Ａｒｄｕｉｎｏ対話型実装、Ｒａｓｐｂｅｒｒｙ  Ｐｉ、又は同様の携帯型装置とすることができる。腕時計を使用してインテリジェントモバイル端末を操作するために、無線制御機能モジュールアプリケーションシステムをインテリジェントモバイル端末４６内にインストールする必要がある。ほとんどの場合、インテリジェントモバイル端末４６はスマートフォン又はタブレットコンピュータであり、従って、タッチスクリーンモジュール、携帯電話モジュール、カメラモジュール、ネットワーク通信モジュール、短距離無線通信モジュール、音声入力／出力モジュール等の様々な機能モジュールを備えている。インテリジェントモバイル端末の強力な計算、記憶、及び表示容量を利用して、特定のアプリケーションプログラムの推論規則を利用者がセットアップするためのパラメータ設定モジュール６０を確立するために、無線制御機能モジュールアプリケーションシステムが、インテリジェントモバイル端末内にインストールされる。アプリケーションプログラムの推論規則は、機能モジュールによって与えられる運動検出信号、運動パターン信号、又はコマンドと、インテリジェントモバイル端末の対応するアクションとを相関させ、それにより、アプリケーションプログラムは、運動検出信号、運動パターン信号、又はコマンドの受信時にタッチスクリーンモジュール、携帯電話モジュール、カメラモジュール、ネットワーク通信モジュール、短距離無線通信モジュール、音声入力／出力モジュール等のうちの１つ又は複数を動作させて、所望のアクションを行う。
【００２９】
例えば、無線制御機能モジュールアプリケーションシステムは、運動パターン信号の特定の組み合わせをアクションコマンドとして解釈し、無線制御機能モジュール１４によって生成される組み合わせの受信時に、通信接続又はネットワーク通信接続を確立するために、インテリジェントモバイルモジュール４６のネットワーク通信モジュールを活性化し、通信接続の確立後に特定の要求を生成し、及び／又は特定の情報を提供するように構成されることができる。写真を撮るために、無線制御機能モジュール１４の運動パターン信号の別の組み合わせをアクションコマンドとして解釈し、インテリジェントモバイル端末４６のカメラモジュールを活性化して写真を撮るように、特定のアプリケーションプログラムを構成することができる。特定の情報を表示するために、無線制御機能モジュール１４の運動パターン信号の他の更なる組み合わせをアクションコマンドとして解釈し、インテリジェントモバイル端末４６の表示モジュールを活性化して特定の情報を表示するように、別のアプリケーションプログラムを構成することができる。本発明の別の実施形態では、無線制御機能モジュール１４は、上記の振動器７０と共に組み込まれる。そのような実施形態では、特定の振動パターンを発生させるために、無線制御機能モジュール１４の運動パターン信号の他の更なる組み合わせをアクションコマンドとして解釈し、無線制御機能モジュール１４の振動器７０を活性化するように、アプリケーションプログラムを構成することができる。また、前のアクションコマンドの実行後に無線制御機能モジュール１４の振動器７０を活性化するように、アプリケーションプログラムを構成することもできる。
【００３０】
実際の応用では、インテリジェントモバイル端末４６内に備わっている機能モジュールを利用してパラメータ設定モジュール６０を確立するために、無線制御機能モジュールアプリケーションシステムが、インテリジェントモバイル端末４６内にソフトウェア形式でインストールされるが、アプリケーションシステムのインストール後に、コマンド生成ユニット及びプロセッサユニットを、無線制御機能モジュール内に提供することも可能である。本発明の好ましい実施形態では、それぞれのアプリケーションプログラムが少なくとも１つの推論規則を含み、その推論規則は少なくとも１つのイベント及びそのイベントによって活性化されるアクションを含む。特定の実施形態では、推論規則がイベント間の「ＡＮＤ」、「ＯＲ」、「ＮＡＮＤ」演算等、複数のイベントの論理演算を更に含むことができる。
【００３１】
本発明の好ましい実施形態では、推論規則の「イベント」とは、無線制御機能モジュール１４によって生成される、運動検出信号、及び／又は運動パターン信号、及び／又は制御コマンドであることができる。より詳細には、イベントは検出器４２によって検出され、利用者による無線制御機能モジュール１４に対する一連の運動操作を表現する一連の運動検出信号であることができる。各運動検出信号は、運動操作の運動成分の少なくとも２つの方向における加速度値を含む。イベントは、１つの運動パターン又は複数の運動パターンの組み合わせを表現する一連の運動パターン信号とすることもできる。イベントは、運動パターン信号の組み合わせを解釈することによって生成されるコマンドとすることもできる。
【００３２】
本発明の好ましい実施形態では、推論規則によって決定されるアクションは、概して特定の動作を実行するためにインテリジェントモバイル端末の１つ又は複数の機能モジュールを作動させるコマンドである。アクションは、特定の動作を実行するために、無線制御機能モジュール１４の振動器７０等の動作モジュールを作動させることもできる。応用では、アクションコマンドによって引き起こされる動作は、音声メッセージ（その音量、韻律、又は周波数を定めるパラメータを含む）又はディジタルメッセージを生成すること、ショートメッセージ（メッセージの受信者及びコンテンツを定めるパラメータを含む）を送信すること、振動（振動の振幅、頻度、及び持続時間を定めるパラメータを含む）を発生させること、グラフィックメッセージを表示すること、ウェブアドレスに接続すること、音声又はディジタル情報を提供すること等であることができる。動作は、写真撮影、音声録音、映像録画、データ記録等、ディジタル情報を生成するものでもよい。
【００３３】
より詳細には、推論規則は以下の内容によって表すことができる：
（イベントＡ）［（論理的関係ｉ）イベントｉ］ｎの場合、アクション１である。ただし、ｎは自然数であり、ｉは２〜ｎの自然数である。ここでアクションは、インテリジェントモバイル端末の１つ又は複数の機能モジュールを作動させる操作であることができる。
【００３４】
応用では、推論規則の例は、以下のものを含むことができる：
１．  「回転パターン信号」を受信する場合（事象Ａ）、カメラモジュールを作動させて写真を撮影するか、又は録画を開始する（アクション１）。
２．  ３つの「平行移動パターン信号」を受信する場合（事象Ａ）、携帯電話モジュールを作動させて特定の電話番号に発呼するか、又は特定の電話番号に特定のテキストメッセージを送信する（アクション１）。
３．  ２つの「スイングパターン信号」を受信する場合（事象Ａ）、音声モジュールを作動させて音声メッセージ（音声の音量、韻律、及び周波数を定めるパラメータを含む）を生成するか、又は画面表示モジュールを作動させてテキストメッセージを表示する（アクション１）。
４．  ３つの「ノッキングパターン信号」（事象Ａ）及び（論理的関係）２つの「平行移動パターン信号」を受信する場合（事象１）、カメラモジュールを作動させて録画を開始し（アクション１）、かつ（論理的関係）インターネット通信モジュールを作動させて録画映像を特定のＵＲＬに送信する（アクション２）。
５．  着呼を検出し（事象Ａ）、（論理的関係）インテリジェントモバイル端末４６のアンサーキーが所定の時間内に作動されない場合（事象１）、振動器７０を振動させるために、短距離無線通信モジュールを作動させて、無線制御機能モジュール１４に振動コマンドを送信する（アクション１）。
６．  無線制御機能モジュール１４から「ノッキングパターン信号」を受信し（事象Ａ）、（論理的関係）所定の時間内に他の運動パターン信号を受信しない場合（事象１）、振動器７０を振動させるために、短距離無線通信モジュールを作動させて、無線制御機能モジュール１４に振動コマンドを送信する（アクション１）。
【００３５】
「イベント」、「アクション」、及び「論理的関係」の幾つかの例を上記に示したが、有用なアプリケーションプログラムを生成するために、無線制御機能モジュールアプリケーションシステムを使用することにより、インテリジェントモバイル端末の遠隔入力装置及び／又は出力装置として無線制御機能モジュール１４を利用する任意の応用を利用者は定めることができる。
【００３６】
本発明の設計では、無線制御機能モジュール１４は、上記の回転パターン信号、平行移動パターン信号、ノッキングパターン信号を含む、多岐にわたる運動パターン信号を生成することができる。そのような事例では、操作コマンドが４つの運動パターンによって定められる場合、合計３＊３＊３＊３＝８１種類の異なるコマンドを定めることができる。そのような命令の組は、インテリジェントモバイル端末４６を遠隔操作する需要に対して十分である。
【００３７】
本発明を腕時計型の無線制御モジュール及びそのアプリケーションシステムに関する特定の実施形態に関して説明してきたが、この説明は限定的な意味で解釈されることを意図していない。開示した実施形態の様々な修正形態及び代替的実施形態が、当業者にとっては明らかであろう。従って、添付の特許請求の範囲は、本発明の真の範囲に含まれる全ての修正形態を対象として含むと考えられる。
【図１】
2017138307.tif 000003
【図２】
2017138307.tif 000004
【図３】
2017138307.tif 000005
【図４】
2017138307.tif 000006
【図５】
2017138307.tif 000007